(57)【特許請求の範囲】
【請求項１】
（イ）ポリエチレンテレフタレートからなり、注出口を有する頭部を首部で繋いだ単層の容器本体と、（ロ）ポリエチレンテレフタレートよりも遮湿性に優れた樹脂からなり前記容器本体を外側から包囲する外装体、とを具備し、前記外装体は、上部が開口した衿部を有する筒状のスリーブと、このスリーブの下部を閉塞する底フレームとで構成され、この外装体の内部に、前記容器本体がその頭部を前記衿部の開口から突出させた状態で収納されており、且つ、前記外装体の衿部がバンドによって容器本体の首部にシール状態に固定されていることを特徴とする容器。
【請求項２】
（イ）ポリエチレンテレフタレートからなり、注出口を有する頭部を首部で繋いだ単層の容器本体と、（ロ）ポリエチレンテレフタレートよりも遮湿性に優れた樹脂からなり前記容器本体を外側から包囲する外装体、とを具備し、前記外装体は、上部が開口した衿部を有する筒状のスリーブと、このスリーブの下部を閉塞する底フレームとで構成され、この外装体の内部に、前記容器本体がその頭部を前記衿部の開口から突出させた状態で収納されており、前記外装体の衿部が締結リングによって前記頭部にシール状態に固定されていると共に、前記頭部に凹凸部分を設け、この凹凸部分と前記締結リングとの間に樹脂製のパッキンを介装してなることを特徴とする容器。
【請求項３】
前記外装体は、前記容器本体の外面に積層された樹脂層であることを特徴とする請求項１又は２に記載の容器。
【請求項４】
前記容器本体がエアゾール用であることを特徴とする請求項１から３のいずれかに記載の容器。
【請求項５】
前記外装体がポリエチレンからなることを特徴とする請求項ｌから４のいずれかに記載の容器。
【請求項６】
前記外装体がポリオレフィンからなることを特徴とする請求項ｌから４のいずれかに記載の容器。
【発明の詳細な説明】
【０００１】
【産業上の利用分野】
本発明は、ポリエチレンテレフタレート（以下、ＰＥＴと略称する）製の容器に関するものである。
【０００２】
【従来の技術】
ＰＥＴ製の容器はあらゆる分野において多用されている。近年に至ってはＰＥＴの問題点とされていたガスバリアー性も改善され、ＰＥＴ製容器の用途は更に広がっている。
【０００３】
【発明が解決しようとする課題】
前記のように、ＰＥＴはガスバリアー性には優れるものの、水分（水蒸気）を透過する性質、即ち透湿性には若干劣っている。
【０００４】
そのため、例えばエアゾール用の容器として用いた場合には、容器内が加圧状態にあることもあって、容器内に充満する内容物の水蒸気が容器を透過して内容物が減少するのみならず、圧力バランスや内容物のバランスが崩れるという問題があった。
【０００５】
又、錠剤用の容器として用いた場合には、外部の湿気が容器を透過して侵入するため、錠剤がしけるという問題があった。これは湿気を嫌う錠剤の場合に特に問題となった。
【０００６】
本発明はこのような従来の技術の問題点に鑑みてなされたものであり、水蒸気を透過させない性質（以下、これを遮湿性と称す）に優れたＰＥＴ製容器を提供することを目的とする。
【０００７】
【課題を解決するための手段】
本発明は前記課題を解決するために、以下の構成を採用した。本発明の容器は、（イ）ＰＥＴからなり、注出口を有する頭部を首部で繋いだ単層の容器本体と、（ロ）ＰＥＴよりも遮湿性に優れた樹脂からなり前記容器本体を外側から包囲する外装体、とを具備する。そして、前記外装体を上部が開口した衿部を有する筒状のスリーブと、このスリーブの下部を閉塞する底フレームとで構成し、この外装体の内部に、前記容器本体を収容し、容器本体の頭部を前記衿部の開口から突出させて、外装体の衿部をバンドによって容器本体の首部にシール状態に固定する。
【０００８】
若しくは、（イ）ＰＥＴからなり、注出口を有する頭部を首部で繋いだ単層の容器本体と、（ロ）ＰＥＴよりも遮湿性に優れた樹脂からなり前記容器本体を外側から包囲する外装体、とを具備し、前記外装体を上部が開口した衿部を有する筒状のスリーブと、このスリーブの下部を閉塞する底フレームとで構成し、この外装体の内部に、前記容器本体を収容し、容器本体の頭部を前記衿部の開口から突出させて、外装体の衿部を締結リングによって容器本体の頭部にシール状態に固定すると共に、前記頭部に凹凸部分を設け、この凹凸部分と前記締結リングとの間に樹脂製のパッキンを介装する。
【０００９】
尚、前記容器本体の外面に、ＰＥＴよりも遮湿性に優れた樹脂からなる樹脂層を積層し、この樹脂層を外装体とすることも可能である。前記外装体は例えばポリエチレンやポリオレフィンで構成することが可能であるが、これに限定されるものではなく、ＰＥＴよりも遮湿性に優れた種々の樹脂が採用可能である。
【００１０】
本発明の容器には、用途の制限はないが、エアゾール用容器や防湿容器として用いると特に効果的である。
【００１１】
【作用】
ＰＥＴ製の容器本体はガスバリアー性に優れている。したがって、容器本体内が不用意に減圧したり、容器本体内の香りが外に逃げたり、外から酸素が容器本体内に侵入するのを防止できる。
【００１２】
水蒸気はＰＥＴ製の容器本体を比較的に多く透過するが、遮湿性に優れた樹脂からなる外装体はそれぞれの遮湿性樹脂毎の水蒸気バリアー率に基づき水蒸気の透過を透過する。したがって、外から容器内に水蒸気が侵入することはない。
【００１３】
又、容器本体内の水蒸気については、外装体を、容器本体の外面に積層した樹脂層によって構成した場合には、容器本体内の水蒸気は容器本体の外面を透過することができず、結果的に容器本体を透過することができない。外装体を、容器本体とは別体の筒状とした場合には、容器本体を透過した容器本体内の水蒸気は、容器本体と外装体との間に留まり、その水蒸気圧力が容器本体内の水蒸気圧力と平衡した時に、容器本体内からの水蒸気の透過が止まる。
【００１４】
【実施例】
以下、本発明の実施例を図１から図６の図面に基いて説明する。図１は本発明に係る容器の断面図である。容器１Ａは容器本体１０と外筒（外装体）２０とから構成されており、自立型の容器になっている。
【００１５】
容器本体１０はＰＥＴで形成されており、半球状の底部１１と、円筒状の胴部１２と、球の一部からなる肩部１３と、注出口を有する頭部１４とから構成されている。尚、頭部１４の基部は首部１５になっている。
【００１６】
外筒２０はポリエチレン（以下、ＰＥと略称する）で形成されており、スリーブ３０と底フレーム４０とから構成されている。スリーブ３０は、下部を開口させた円筒状の胴部３１と、球の一部からなる肩部３２と、上端に開口３３を有する衿部３４とから構成されている。スリーブ３０の胴部３１の内径は、容器本体１０の胴部１２の外径とほぼ同径かそれよりも若干大径にされており、スリーブ３０の肩部３２の内面の曲率円直径は、容器本体１０の肩部１３の外面の曲率円直径とほぼ同径かそれよりも若干大径にされており、衿部３４の内径は容器本体１０の首部１５の外径よりも若干大径にされている。
【００１７】
前記容器本体１０は、スリーブ３０の胴部３１の下部開口から挿入され、スリーブ３０の開口３３を弾性的に拡径することにより、頭部１４を前記開口３３から突出させている。そして、容器本体１０の肩部１３はスリーブ３０の肩部３２に密接し、容器本体１０の胴部１２はスリーブ３０の胴部３１に密接している。スリーブ３０の衿部３４はバンド５０によって容器本体１０の首部１５にシール状態に固定されている。
【００１８】
底フレーム４０はスリーブ３０の外径と同径の円板状をなし、スリーブ３０内に容器本体１０を収容した後に、スリーブ３０の底部にシール状態に溶着されたものである。この底フレーム４０と容器本体１０の底部１１との間には空間６０が形成されている。尚、この実施例では、底フレーム４０もＰＥで形成したが、これを別の材質で形成しアルミラミネートすることにより遮湿性を保つようにしてもよい。
【００１９】
図２、図３はそれぞれ底フレーム４０の別の態様であり、この底フレーム４０には、スリーブ３０内に没入する突出部４１が設けられている。図２の場合には突出部４１に凹球面４２を設け、容器本体１０の底部１１をこの凹球面４２に面当接させるようにしたものである。図３の場合には突出部４１の上部を平坦面４３に形成し、容器本体１０の底部１１をこの平坦面４３で受けるようにしたものである。
【００２０】
又、図４はスリーブ３０の衿部３４の他の固定手段を示したものであり、スリーブ３０の衿部３４の先部と容器本体１０の頭部１４とを、アルミニウム製の締結リング５１によって、シール状態にかしめ固定したものである。尚、この場合には、容器本体１０の頭部１４と締結リング５１との間に樹脂製のパッキン５２を介装し、この間のシール性を保つようにする。
【００２１】
図５（Ａ）は前記容器１Ａをエアゾール用の容器１００Ａとして用いた場合の外観斜視図であり、容器本体１０の頭部には噴霧装置７０が装着されている。このようにエアゾール用の容器として用いた場合の作用について、図１を参照して説明する。エアゾール用の場合には、容器本体１０内に内容物が加圧状態に充填されており、その一部は水蒸気になっている。
【００２２】
ＰＥＴはガスバリアー性に優れているので、容器本体１０内からガスが抜けて内部の圧力が下がったり、容器本体１０内の香りが外に逃げたりすることはない。一方、ＰＥＴは遮湿性に若干劣るので、容器本体１０内の水蒸気は容器本体１０を比較的に多く透過することができる。しかしながら、ＰＥは遮湿性に優れているので、容器本体１０を透過した水蒸気も外筒２０は透過しにくい。したがって、容器本体１０を透過した水蒸気は、容器本体１０と外筒２０との間の空間６０に留まり、外筒２０の外に透過する割合はＰＥＴ単体と比較して非常に少ない。そして、空間６０内の水蒸気圧力が容器本体１０内の水蒸気圧力と平衡した時点で、水蒸気は容器本体１０を透過しなくなり、それ以後、水蒸気の透過はない。その結果、容器本体１０内に充填されている内容物の非使用時における減少がしにくくなり、ＰＥＴ単体の容器と比較して１／２〜１／１０の減少率となって、シェルフライフが２〜１０倍長くなることなる。
【００２３】
図５（Ｂ）は非自立型のエアゾール用の容器１００Ｂとして用いた場合の外観斜視図である。この場合の外筒２０は軟質のチューブ状をなし、その底部を平坦に溶着されている。その他の部分の構造と、作用、効果については前記自立型の容器１００Ａの場合と同様であるので説明は省略する。
【００２４】
尚、前記各実施例においては、外装体を容器本体１０とは別体の外筒２０によって構成してもよい。
【００２５】
【発明の効果】
以上説明したように、本発明によれば、容器は、ＰＥＴ製の容器本体と、ＰＥＴよりも遮湿性に優れた樹脂からなる外装体、とを具備することにより、遮湿性とガスバリアー性の両方に優れたものになる。
【図面の簡単な説明】
【図１】本発明の容器の第１実施例における断面図である。
【図２】本発明の容器における底部の他の態様を示す部分断面図である。
【図３】本発明の容器における底部の別の態様を示す部分断面図である。
【図４】本発明の容器における頭部の他の態様を示す部分断面図である。
【図５】（Ａ）、（Ｂ）はそれぞれ本発明の容器をエアゾール用の容器とした場合の外観斜視図である。
【符号の説明】
１Ａ  容器
１Ｂ  容器
１０  容器本体
１３  肩部
１４  頭部
２０  外筒（外装体）
３０  スリーブ
３３  開口
４０  底フレーム
８０  キャップ
８１  下端部
【図１】
0003824659.tif 000002
【図２】
0003824659.tif 000003
【図３】
0003824659.tif 000004
【図４】
0003824659.tif 000005
【図５】
0003824659.tif 000006